(57)【要約】  本開示の一態様に係るユーザ端末は、所定のチャネルのマルチスロット送信又は受信を行う送受信部と、前記マルチスロット送信又は受信の送信設定指示（ＴＣＩ：Transmission  Configuration  Indication）状態の変更に関して所定の想定を行う制御部と、を有することを特徴とする。本開示の一態様によれば、マルチスロットのチャネル／信号のＴＣＩ状態を適切に制御できる。
2020054036.tif 000002
【特許請求の範囲】
【請求項１】
所定のチャネルのマルチスロット送信又は受信を行う送受信部と、
前記マルチスロット送信又は受信の送信設定指示（ＴＣＩ：Transmission  Configuration  Indication）状態の変更に関して所定の想定を行う制御部と、を有することを特徴とするユーザ端末。
【請求項２】
前記制御部は、前記マルチスロット送信又は送信をスケジュールする下り制御情報の受信と、前記マルチスロット送信又は送信の最初のスロットとの間の時間オフセットが、所定の閾値より小さいことを示すような当該下り制御情報を受信することを期待しないことを特徴とする請求項１に記載のユーザ端末。
【請求項３】
前記制御部は、前記マルチスロット送信又は送信の途中においてＴＣＩ状態のアクティベーション又はディアクティベーションが完了するような、前記所定のチャネルのＴＣＩ状態のアクティベーション制御シグナリングを受信することを期待しないことを特徴とする請求項１に記載のユーザ端末。
【請求項４】
前記制御部は、前記マルチスロット送信又は送信の途中においてＴＣＩ状態のアクティベーション又はディアクティベーションが完了するような、前記所定のチャネルのＴＣＩ状態のアクティベーション制御シグナリングを受信する場合であっても、前記所定のチャネルのＴＣＩ状態を途中で変更しないことを特徴とする請求項１に記載のユーザ端末。
【請求項５】
前記制御部は、前記マルチスロット送信又は送信の途中において、前記所定のチャネルのＴＣＩ状態の変更を許容することを特徴とする請求項１に記載のユーザ端末。
【請求項６】
所定のチャネルのマルチスロット送信又は受信を行うステップと、
前記マルチスロット送信又は受信の送信設定指示（ＴＣＩ：Transmission  Configuration  Indication）状態の変更に関して所定の想定を行うステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（以下、単にＮＲとも表記する）では、送信設定指示（ＴＣＩ：Transmission  Configuration  Indication）状態に基づいて、チャネル／信号の送受信処理を制御することが検討されている。また、ＮＲでは、いくつかのチャネル／信号について、マルチスロット送信又はマルチスロット受信を行うことが検討されている。【０００６】
しかしながら、これまで検討されたＮＲの仕様に基づくと、マルチスロットの途中で適用するＴＣＩ状態が変更されてしまう可能性があるが、このような変更が許容されるか否かについては、まだ検討が進んでいない。この制御について明確化しなければ、基地局及びユーザ端末の間でマルチスロット送受信についてＴＣＩ状態の認識の齟齬が生じるなどして、通信スループットが低下するおそれがある。【０００７】
そこで、本開示は、マルチスロットのチャネル／信号のＴＣＩ状態を適切に制御できるユーザ端末及び無線通信方法を提供することを目的の１つとする。
【課題を解決するための手段】
【０００８】
本開示の一態様に係るユーザ端末は、所定のチャネルのマルチスロット送信又は受信を行う送受信部と、前記マルチスロット送信又は受信の送信設定指示（ＴＣＩ：Transmission  Configuration  Indication）状態の変更に関して所定の想定を行う制御部と、を有することを特徴とする。
【発明の効果】
【０００９】
本開示の一態様によれば、マルチスロットのチャネル／信号のＴＣＩ状態を適切に制御できる。
【図面の簡単な説明】
【００１０】
【図１】図１は、ＭＡＣ  ＣＥに基づくＴＣＩ状態のアクティベーションに関する問題の説明図である。
【図２】図２は、一実施形態に係る無線通信システムの概略構成の一例を示す図である。
【図３】図３は、一実施形態に係る基地局の全体構成の一例を示す図である。
【図４】図４は、一実施形態に係る基地局の機能構成の一例を示す図である。
【図５】図５は、一実施形態に係るユーザ端末の全体構成の一例を示す図である。
【図６】図６は、一実施形態に係るユーザ端末の機能構成の一例を示す図である。
【図７】図７は、一実施形態に係る基地局及びユーザ端末のハードウェア構成の一例を示す図である。
【発明を実施するための形態】
【００１１】
（ＱＣＬ／ＴＣＩ）
ＮＲでは、ユーザ端末（ＵＥ：User  Equipment）は、チャネル（例えば、ＰＤＣＣＨ（Physical  Downlink  Control  Channel）、ＰＤＳＣＨ、ＰＵＣＣＨなど）の疑似コロケーション（ＱＣＬ：Quasi-Co-Location）に関する情報（ＱＣＬ情報）に基づいて、当該チャネルの受信処理（例えば、デマッピング、復調、復号、受信ビーム形成など）、送信処理（例えば、マッピング、変調、符号化、プリコーディング、送信ビーム形成など）を制御することが検討されている。
【００１２】
ここで、ＱＣＬとは、チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００１３】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１４】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：平均遅延及びドップラーシフト、
・ＱＣＬタイプＤ：空間受信パラメータ。
【００１５】
送信設定指示（ＴＣＩ：Transmission  Configuration  Indication）状態（TCI-state）は、ＱＣＬ情報を示してもよい（含んでもよい）。ＴＣＩ状態は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよく、例えば、ＱＣＬ関係となるＤＬ−ＲＳに関する情報（ＤＬ−ＲＳ関連情報）及び上記ＱＣＬタイプを示す情報（ＱＣＬタイプ情報）の少なくとも１つを含んでもよい。
【００１６】
ＤＬ−ＲＳ関連情報は、ＱＣＬ関係となるＤＬ−ＲＳを示す情報及び当該ＤＬ−ＲＳのリソースを示す情報の少なくとも一つを含んでもよい。例えば、ＵＥに複数の参照信号セット（ＲＳセット）が設定される場合、当該ＤＬ−ＲＳ関連情報は、当該ＲＳセットに含まれるＲＳのうち、チャネル（又は当該チャネル用のポート）とＱＣＬ関係を有するＤＬ−ＲＳ、当該ＤＬ−ＲＳ用のリソースなどの少なくとも１つを示してもよい。
【００１７】
ここで、チャネル用のＲＳ及びＤＬ−ＲＳの少なくとも一方は、同期信号（ＳＳ：Synchronaization  Signal）、ブロードキャストチャネル（ＰＢＣＨ：Physical  Broadcast  Channel）、同期信号ブロック（ＳＳＢ：Synchronization  Signal  Block）、モビリティ参照信号（ＭＲＳ：Mobility  RS）、チャネル状態情報参照信号（ＣＳＩ−ＲＳ：Channel  Satate  Information-Reference  Signal）、復調用参照信号（ＤＭＲＳ：DeModulation  Reference  Signal）、ビーム固有の信号などの少なくとも１つ、又はこれらを拡張、変更などして構成される信号（例えば、密度及び周期の少なくとも一方を変更して構成される信号）であってもよい。
【００１８】
同期信号は、例えば、プライマリ同期信号（ＰＳＳ：Primary  Synchronaization  Signal）及びセカンダリ同期信号（ＳＳＳ：Secondary  Synchronaization  Signal）の少なくとも１つであってもよい。ＳＳＢは、同期信号及びブロードキャストチャネルを含む信号ブロックであってもよく、ＳＳ／ＰＢＣＨブロックなどと呼ばれてもよい。
【００１９】
なお、ＴＣＩ状態は、ビームに対応してもよい。例えば、ＵＥは、異なるＴＣＩ状態のチャネル／参照信号は、異なるビームを用いて送信されると想定してもよい。
【００２０】
＜ＰＤＳＣＨのためのＴＣＩ状態＞
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００２１】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００２２】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２３】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００２４】
ＰＤＳＣＨのスケジューリングに用いられる下り制御情報（ＤＣＩ：Downlink  Control  Information）は、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００２５】
ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００２６】
ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００２７】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００２８】
当該ＭＡＣ  ＣＥは、ＲＲＣシグナリングによって設定されるＴＣＩ状態ＩＤ（TCI  state  ID）のうち、ＤＣＩのＴＣＩフィールドのコードポイントにマップするＴＣＩ状態を指定し、当該ＴＣＩ状態をアクティベートするために用いられる。アクティベートされたＴＣＩ状態は、ＴＣＩ状態ＩＤの昇順又は降順に、上記ＴＣＩフィールドのコードポイント値０から２ｘ−１（例えば、ｘ＝３の場合、７）にマップされてもよい。
【００２９】
ＵＥが、上記ＭＡＣ  ＣＥを提供したＰＤＳＣＨのためのＨＡＲＱ−ＡＣＫ（Hybrid  Automatic  Repeat  reQuest  ACKnowledgement）を送信するスロットをｎとおくと、当該ＭＡＣ  ＣＥに基づくアクティベーション／ディアクティベーション（ＤＣＩ内のＴＣＩフィールドとＴＣＩ状態とのマッピング）は、スロットｎ＋３＊（サブフレーム内のスロット数）＋１から適用されてもよい。つまり、スロットｎ＋３＊（サブフレーム内のスロット数）＋１において、上記ＭＡＣ  ＣＥに基づくＴＣＩフィールドのコードポイントの更新が有効であってもよい。
【００３０】
ＤＬ  ＤＣＩの受信と当該ＤＣＩに対応するＰＤＳＣＨの受信との間の時間オフセットが所定の閾値（「Threshold」、「Threshold  for  offset  between  a  DCI  indicating  a  TCI  state  and  a  PDSCH  scheduled  by  the  DCI」、「Threshold-Sched-Offset」などと呼ばれてもよい）以上である場合、ＵＥは、当該ＤＣＩによって指示されるＴＣＩ状態によって与えられるＱＣＬタイプパラメータに関するＲＳセット内のＲＳと、サービングセルのＰＤＳＣＨの１つ以上のＤＭＲＳポートグループのアンテナポートがＱＣＬであると想定してもよい。
【００３１】
当該所定の閾値は、ＵＥ能力に基づいてもよく、例えばＰＤＣＣＨの復号及びビーム切り替えにかかる遅延に基づいてもよい。当該所定の閾値の情報は、基地局から上位レイヤシグナリングを用いて設定されてもよいし、ＵＥから基地局に送信されてもよい。
【００３２】
また、ＤＬ  ＤＣＩの受信と当該ＤＣＩに対応するＰＤＳＣＨとの間の時間オフセットが上記所定の閾値未満である場合、ＵＥは、当該ＵＥに１つ以上の制御リソースセット（ＣＯＲＥＳＥＴ：Control  Resource  Set）が設定される最新（直近（latest））のスロットにおける最小のＣＯＲＥＳＥＴ−ＩＤ（ＣＯＲＥＳＥＴの識別のためのＩＤ）に対応するＰＤＣＣＨ  ＱＣＬ通知のために用いられるＴＣＩ状態に基づいて、サービングセルのＰＤＳＣＨの１つ以上のＤＭＲＳポートグループのアンテナポートがＱＣＬである（例えば、当該アンテナポートが当該最小のＣＯＲＥＳＥＴ−ＩＤに対応するＣＯＲＥＳＥＴについてアクティベートされたＴＣＩ状態に基づくＤＬ−ＲＳとＱＣＬである）と想定してもよい。
【００３３】
＜ＰＵＣＣＨのための空間関係＞
ＰＵＣＣＨについては、ＴＣＩ状態に相当するものは空間関係（spatial  relation）と表現されてもよい。Ｒｅｌ−１５  ＮＲにおいては、ＲＲＣのＰＵＣＣＨ設定情報（「PUCCH-Config」情報要素）に、所定のＲＳとＰＵＣＣＨとの間の空間関係情報を含めることができる。当該所定のＲＳは、ＳＳＢ、ＣＳＩ−ＲＳ及び測定用参照信号（ＳＲＳ：Sounding  Reference  Signal）の少なくとも１つであってもよい。
【００３４】
ＵＥは、ＳＳＢ又はＣＳＩ−ＲＳとＰＵＣＣＨとに関する空間関係情報を設定される場合には、当該ＳＳＢ又はＣＳＩ−ＲＳの受信のための空間ドメインフィルタと同じ空間ドメインフィルタを用いてＰＵＣＣＨを送信してもよい。つまり、この場合、ＵＥはＳＳＢ又はＣＳＩ−ＲＳのＵＥ受信ビームとＰＵＣＣＨのＵＥ送信ビームとが同じであると想定してもよい。
【００３５】
ＵＥは、ＳＲＳとＰＵＣＣＨとに関する空間関係情報を設定される場合には、当該ＳＲＳの送信のための空間ドメインフィルタと同じ空間ドメインフィルタを用いてＰＵＣＣＨを送信してもよい。つまり、この場合、ＵＥはＳＲＳのＵＥ送信ビームとＰＵＣＣＨのＵＥ送信ビームとが同じであると想定してもよい。
【００３６】
なお、基地局の送信のための空間ドメインフィルタと、下りリンク空間ドメイン送信フィルタ（downlink  spatial  domain  transmission  filter）と、基地局の送信ビームと、は互いに読み替えられてもよい。基地局の受信のための空間ドメインフィルタと、上りリンク空間ドメイン受信フィルタ（uplink  spatial  domain  receive  filter）と、基地局の受信ビームと、は互いに読み替えられてもよい。
【００３７】
また、ＵＥの送信のための空間ドメインフィルタと、上りリンク空間ドメイン送信フィルタ（uplink  spatial  domain  transmission  filter）と、ＵＥの送信ビームと、は互いに読み替えられてもよい。ＵＥの受信のための空間ドメインフィルタと、下りリンク空間ドメイン受信フィルタ（downlink  spatial  domain  receive  filter）と、ＵＥの受信ビームと、は互いに読み替えられてもよい。
【００３８】
ＰＵＣＣＨに関する空間関係情報が１つより多く設定される場合には、ＰＵＣＣＨ空間関係アクティベーション／ディアクティベーションＭＡＣ  ＣＥ（PUCCH  spatial  relation  Activation/Deactivation  MAC  CE）によって、ある時間において１つのＰＵＣＣＨリソースに対して１つのＰＵＣＣＨ空間関係がアクティブになるように制御される。
【００３９】
当該ＭＡＣ  ＣＥは、適用対象のサービングセルＩＤ、ＢＷＰ（Bandwidth  Part）  ＩＤ、ＰＵＣＣＨリソースＩＤなどの情報を含んでもよい。
【００４０】
ＵＥは、上記ＭＡＣ  ＣＥを提供したＰＤＳＣＨのためのＨＡＲＱ−ＡＣＫを送信するスロットから３ミリ秒後に、当該ＭＡＣ  ＣＥに基づくアクティベーション／ディアクティベーション（上記ＭＡＣ  ＣＥに基づく空間ドメインフィルタの対応する設定）を、ＰＵＣＣＨ送信のために適用してもよい。
【００４１】
（マルチスロット送受信）
ＮＲでは、いくつかのチャネルについて、マルチスロット送信又はマルチスロット受信を行うことが検討されている。マルチスロット送信（受信）は、複数のスロットにわたる送信（受信）であって、スロットアグリゲーション、繰り返し（repetition）送信（受信）などと呼ばれてもよい。マルチスロット送信（受信）により、カバレッジの拡大、受信品質の向上などが期待できる。
【００４２】
例えば、ＵＥは、上位レイヤシグナリング、物理レイヤシグナリング（例えば、ＤＣＩ）又はこれらの組み合わせを用いてあるチャネルの繰り返し送信（受信）を設定された場合、当該チャネルを繰り返し送信（受信）してもよい。マルチスロット送信（受信）の各スロットでは、同じ内容の信号が送信（受信）されてもよいし、異なる内容の信号が送信（受信）されてもよい。
【００４３】
マルチスロットＰＵＳＣＨ（ＰＵＳＣＨ繰り返し）については、上位レイヤシグナリング（例えば、ＰＵＳＣＨに関してはＲＲＣパラメータ「pusch-AggregationFactor」、コンフィギュアドグラントＰＵＳＣＨに関してはＲＲＣパラメータ「repK」）によって、繰り返し因数がＵＥに設定されてもよい。
【００４４】
マルチスロットＰＤＳＣＨ（ＰＤＳＣＨ繰り返し）については、上位レイヤシグナリング（例えば、ＲＲＣパラメータ「pdsch-AggregationFactor」）によって、繰り返し因数がＵＥに設定されてもよい。
【００４５】
マルチスロットＰＵＣＣＨ（ＰＵＣＣＨ繰り返し）は、特定のフォーマット（例えば、送信期間が４シンボル以上であるＰＵＣＣＨフォーマット１、３及び４）に関してＵＥに設定されてもよい。ＰＵＣＣＨフォーマット１、３及び４の全てに対して、繰り返し因数（repetition  factor）（例えば、ＲＲＣの「PUCCH-FormatConfig」に含まれるパラメータ「nrofSlots」）は共通に設定されてもよい。
【００４６】
なお、本開示において、繰り返し因数及び繰り返し数（repetition  number）は、互いに読み替えられてもよい。
【００４７】
マルチスロットＰＤＳＣＨについて、スケジューリング遅延は、ＰＤＣＣＨの最後のシンボルと、スケジュールされる最初のスロットのＰＤＳＣＨの最初のシンボルと、の間の時間として定義されることが検討されている。この場合、マルチスロットＰＤＳＣＨのＴＣＩ状態は、各ＰＤＳＣＨスロットのスケジューリングオフセットではなく、最初のＰＤＳＣＨスロットのスケジューリングオフセットに基づいて決定されてもよい。
【００４８】
また、別の案として、マルチスロットＰＤＳＣＨについて、スケジューリング遅延は、ＰＤＣＣＨの最後のシンボルと、スケジュールされる各スロットのＰＤＳＣＨの最初のシンボルと、の間の時間として定義されることが検討されている。この場合、マルチスロットＰＤＳＣＨのＴＣＩ状態は、スケジューリングＤＬ  ＤＣＩを伝送するＰＤＣＣＨの最後のシンボルの終わりから、各ＰＤＳＣＨスロットの対応するＰＤＳＣＨの最初のシンボルの開始までの時間に基づいて決定されてもよい。
【００４９】
当該ＤＣＩの受信と当該ＤＣＩに対応するＰＤＳＣＨのスロットの受信との間の時間オフセットが、上記所定の閾値（「Threshold-Sched-Offset」）より小さいと、当該ＰＤＳＣＨについては、最新（latest又はrecent）のスロットにおける最小のＣＯＲＥＳＥＴ  ＩＤに基づくデフォルトのＱＣＬ（ＴＣＩ状態）を適用してもよい。
【００５０】
ところで、上述のように、ＭＡＣ  ＣＥを用いてＴＣＩ状態、空間関係などのアクティベーションを制御することが検討されている。しかしながら、マルチスロット送信／受信についてＴＣＩ状態の設定をどのように決定するかは、まだ検討が進んでいない。図１を参照してこの問題を説明する。
【００５１】
図１は、ＭＡＣ  ＣＥに基づくＴＣＩ状態のアクティベーションに関する問題の説明図である。本例では、所定の閾値（「Threshold-Sched-Offset」）＝４スロット、サブフレーム内のスロット数＝１、ＤＣＩによって指示されるＫ０が３であると想定する。
【００５２】
スロット＃０において、ＵＥは、繰り返し数＝８のマルチスロットＰＤＳＣＨをスケジュールするＤＣＩを受信する。ここで、当該ＤＣＩのＴＣＩフィールドが示す値は１（“００１”）であり、ＭＡＣ  ＣＥによってアクティベートされるＴＣＩ状態１に対応すると想定する。
【００５３】
さて、ＵＥは、当該ＤＣＩに基づいてスロット＃３からマルチスロットＰＤＳＣＨの受信を開始する。これまでのＮＲの検討に従うと、ＵＥは、スロット＃３（最初の繰り返し）におけるＰＤＳＣＨのＴＣＩ状態がデフォルトのＴＣＩ状態であると想定してもよいし、当該ＴＣＩ状態は無効であると想定してもよい。
【００５４】
ＵＥは、スロット＃４からは、マルチスロットＰＤＳＣＨのＴＣＩ状態を、スケジューリングＤＣＩのＴＣＩフィールドに基づいて決定してもよく、ＴＣＩ状態１であると判断して受信処理を行ってもよい。
【００５５】
一方で、スロット＃４において、ＵＥは、ＵＥ固有ＰＤＳＣＨ用ＴＣＩ状態アクティベーション／ディアクティベーションＭＡＣ  ＣＥを別途受信する。当該ＭＡＣ  ＣＥは、ＴＣＩフィールドのコードポイント値１に対して、ＴＣＩ状態Ｘ（Ｘは１以外でもよい）をマッピングすることを少なくとも示すと想定する。
【００５６】
ＵＥは、当該ＭＡＣ  ＣＥに対するＨＡＲＱ−ＡＣＫ（ＡＣＫ又はＮＡＣＫ）を、スロット＃６において送信する。本例では、上述のアクティベーションのタイミング適用に従うと、ＵＥは、図示される２つ目のスロット＃０（８番目の繰り返し）から、上記ＭＡＣ  ＣＥに基づく更新されたＴＣＩ状態のマッピングを利用できる。
【００５７】
しかしながら、図１に示したようにマルチスロットの途中で適用するＴＣＩ状態を変更することが許容されるか否かについては、まだ検討が進んでいない。つまり、マルチスロットＰＤＳＣＨの場合に、ＤＣＩの受信と当該ＤＣＩに対応するＰＤＳＣＨのスロットの受信との間の時間オフセットが、上記所定の閾値（「Threshold-Sched-Offset」）より小さいことが許容されるか否かについては、まだ検討が進んでいない。また、マルチスロット送受信の途中でＭＡＣ  ＣＥに基づいて適用するＴＣＩ状態を変更することが許容されるか否かについても、まだ検討が進んでいない。
【００５８】
マルチスロットＰＤＳＣＨ以外のマルチスロット送受信（例えば、マルチスロットＰＵＣＣＨ）についても、ＴＣＩ状態の制御に関連する同様の問題が考えられる。
【００５９】
これらの制御について明確化しなければ、基地局／ＵＥの処理が複雑化したり、基地局及びＵＥ間で、マルチスロットについてのＴＣＩ状態の認識の齟齬が生じたりして、当該マルチスロットが適切に処理されず、通信スループットが低下するおそれがある。
【００６０】
そこで、本発明者らは、マルチスロットで送受信されるチャネル又は信号のＴＣＩ状態を適切に制御する方法を着想した。
【００６１】
以下、本開示に係る実施形態について、図面を参照して詳細に説明する。各実施形態に係る無線通信方法は、それぞれ単独で適用されてもよいし、組み合わせて適用されてもよい。
【００６２】
（無線通信方法）
＜第１の実施形態＞
第１の実施形態では、ＵＥは、あるサービングセル又はあるＢＷＰにおいて、マルチスロットＰＤＳＣＨのＴＣＩ状態を変更しない。
【００６３】
ＵＥは、ＤＬ  ＤＣＩの受信と当該ＤＬ  ＤＣＩに対応するマルチスロットＰＤＳＣＨの最初のスロット（又は最初の繰り返し）の受信との間の時間オフセットが、上記所定の閾値（「Threshold-Sched-Offset」）より小さいことを示す当該ＤＬ  ＤＣＩを受信することを期待しなくてもよい。つまり、基地局がそのような時間オフセットをＵＥに指示することは、許容されなくてもよい。
【００６４】
なお、上記時間オフセットは、スロットオフセットＫ０に基づいて決定されてもよい。ここで、ＵＥは、上位レイヤシグナリングによってスロットオフセットＫ０のいくつかの候補を設定され、そのうちの１つをＤＣＩの時間ドメインリソース割り当てフィールドによって指示されてもよい。例えば、ＵＥは、上記所定の閾値（「Threshold-Sched-Offset」）未満となるＫ０が設定又は指示されることを期待しなくてもよい。
【００６５】
また、ＵＥは、マルチスロットＰＤＳＣＨの途中（継続期間）においてＴＣＩ状態のアクティベーション又はディアクティベーションが完了する（例えば、上述したスロットｎ＋３＊（サブフレーム内のスロット数）＋１に該当する）ような、ＵＥ固有ＰＤＳＣＨ用ＴＣＩ状態アクティベーション／ディアクティベーションＭＡＣ  ＣＥの受信を期待しなくてもよい。つまり、基地局がそのようなＭＡＣ  ＣＥをＵＥに送信することは、許容されなくてもよい。
【００６６】
また、ＵＥは、マルチスロットＰＤＳＣＨの途中においてＴＣＩ状態のアクティベーション又はディアクティベーションが完了するような、ＵＥ固有ＰＤＳＣＨ用ＴＣＩ状態アクティベーション／ディアクティベーションＭＡＣ  ＣＥを受信してもよい。
【００６７】
この場合、ＵＥは、当該ＭＡＣ  ＣＥに基づくアクティベーション又はディアクティベーションが完了するタイミングであっても、既に受信を開始しているマルチスロットＰＤＳＣＨのＴＣＩ状態を変更しなくてもよい。つまり、ＵＥは、マルチスロットＰＤＳＣＨのＴＣＩ状態は、受信途中で変更されないと想定してもよい。ＵＥは、当該マルチスロットＰＤＳＣＨの全てのスロットの受信が完了した後、上記受信したＭＡＣ  ＣＥに基づくアクティベーション又はディアクティベーションを行ってもよい（有効化してもよい又は完了してもよい）。
【００６８】
以上説明した第１の実施形態によれば、マルチスロットに適用するＴＣＩ状態を適切に制御できる。
【００６９】
＜第２の実施形態＞
第２の実施形態では、ＵＥは、あるサービングセル又はあるＢＷＰにおいて、マルチスロットＰＤＳＣＨのＴＣＩ状態を変更してもよい。
【００７０】
ＵＥは、以下のいずれか一方又は両方の場合には、マルチスロットＰＤＳＣＨの途中においてＴＣＩ状態を変更してもよい：
（１）ＤＬ  ＤＣＩの受信と当該ＤＬ  ＤＣＩに対応する当該マルチスロットＰＤＳＣＨの最初のスロット（又は最初の繰り返し）の受信との間の時間オフセットが、上記所定の閾値（「Threshold-Sched-Offset」）より小さいことを示す当該ＤＬ  ＤＣＩを受信した場合、
（２）当該マルチスロットＰＤＳＣＨの途中においてＴＣＩ状態のアクティベーション又はディアクティベーションが完了するような、ＵＥ固有ＰＤＳＣＨ用ＴＣＩ状態アクティベーション／ディアクティベーションＭＡＣ  ＣＥを受信した場合。
【００７１】
上記（１）の場合において、ＵＥは、マルチスロットＰＤＳＣＨのうち、ＤＬ  ＤＣＩの受信からの時間オフセットが所定の閾値（「Threshold-Sched-Offset」）未満に該当するスロットのＰＤＳＣＨについては、最新（latest又はrecent）のスロットにおける最小のＣＯＲＥＳＥＴ  ＩＤに基づくデフォルトのＱＣＬ（ＴＣＩ状態）を想定してもよく、そうでない（上記時間オフセットが上記所定の閾値以上に該当する）スロットのＰＤＳＣＨについては、上記ＤＬ  ＤＣＩに含まれるＴＣＩフィールドに基づくＱＣＬ（ＴＣＩ状態）に従ってもよい。
【００７２】
上記（２）の場合において、ＵＥは、マルチスロットＰＤＳＣＨのうち、ＭＡＣ  ＣＥに基づくアクティベーション又はディアクティベーションが完了するタイミング以前のＰＤＳＣＨについては、当該ＭＡＣ  ＣＥに基づく更新前のＴＣＩフィールドのコードポイントのマッピングを用いてＱＣＬ（ＴＣＩ状態）を決定するか上述のデフォルトのＱＣＬ（ＴＣＩ状態）を想定してもよく、そうでない（上記完了するタイミングと同じ又はそれ以降の）スロットのＰＤＳＣＨについては、当該ＭＡＣ  ＣＥに基づく更新後のＴＣＩフィールドのコードポイントのマッピングを用いてＱＣＬ（ＴＣＩ状態）を決定してもよい。
【００７３】
例えば、マルチスロットＰＤＳＣＨをスケジュールするＤＣＩのＴＣＩフィールドの値がｉであって、ＴＣＩフィールド＝ｉに対応するＴＣＩ状態ＩＤが、ＭＡＣ  ＣＥに基づく更新前は第１のＴＣＩ状態ＩＤ、更新後は第２のＴＣＩ状態ＩＤ（第１のＴＣＩ状態ＩＤとは異なる）である場合を考える。
【００７４】
この場合、ＵＥは、当該ＭＡＣ  ＣＥに基づくアクティベーション完了前は、第１のＴＣＩ状態ＩＤに基づいてＰＤＳＣＨを受信してもよく、当該アクティベーション完了後は、第２のＴＣＩ状態ＩＤに基づいてＰＤＳＣＨを受信してもよい。
【００７５】
また、第１のＴＣＩ状態ＩＤが更新後もアクティブである（例えば、コードポイントは異なる（ＴＣＩフィールド＝ｊ（ｊ≠ｉ）にマッピングされる）ものの、上記ＭＡＣ  ＣＥによってアクティベートされている）場合には、ＵＥは、上記ＭＡＣ  ＣＥのアクティベーション完了に関わらず、マルチスロットＰＤＳＣＨの全スロットにわたって、第１のＴＣＩ状態ＩＤに従ってもよい。この構成によれば、マルチスロット中に、同じＴＣＩ状態が継続してアクティブである場合には当該マルチスロットに適用するＴＣＩ状態を変更せず、そうでない場合には別のＴＣＩ状態に切り替えるという柔軟な制御が可能となる。
【００７６】
以上説明した第２の実施形態によれば、マルチスロットに適用するＴＣＩ状態を適切に制御できる。
【００７７】
＜変形例＞
上述の各実施形態では、マルチスロットＰＤＳＣＨについて説明したが、本開示に記載の発明の適用範囲はこれに限られない。本開示のマルチスロットは、シングルスロット、クロススロットなどで読み替えられてもよい。
【００７８】
例えば、本開示の「マルチスロットＰＤＳＣＨの最初のスロット」は、「ＰＤＳＣＨのスロット」で読み替えられてもよい。また、「マルチスロットＰＤＳＣＨの途中」は、「ＰＤＳＣＨをスケジュールするＤＣＩの受信から当該ＰＤＳＣＨのスロットまで」で読み替えられてもよい。
【００７９】
また、上述の各実施形態は、マルチスロットＰＤＳＣＨ以外のマルチスロット送受信（例えば、マルチスロットＰＵＣＣＨ、マルチスロットＰＵＳＣＨ）、参照信号（例えば、ＣＳＩ−ＲＳ、ＳＳＢ、ＤＭＲＳ、ＳＲＳなど）のマルチスロット送受信などについても、同様に適用されてもよい。
【００８０】
例えば、上述の各実施形態におけるマルチスロットＰＤＳＣＨをマルチスロットＰＵＣＣＨで読み替える場合、ＰＤＳＣＨの受信は、ＰＵＣＣＨの送信で読み替えられてもよい。ＰＵＣＣＨの送信で読み替える場合、同様に上述の各実施形態におけるＴＣＩ状態は、空間関係又は空間関係情報で読み替えられてもよい。
【００８１】
この場合、ＤＬ  ＤＣＩの受信と当該ＤＬ  ＤＣＩに対応するマルチスロットＰＵＣＣＨの最初のスロット（又は最初の繰り返し）の送信との間の時間オフセットは、スロットオフセットＫ０、ＰＤＳＣＨの繰り返し数、ＰＤＳＣＨの受信から当該ＰＤＳＣＨに対応するＨＡＲＱ−ＡＣＫの送信までのタイミング（ＰＤＳＣＨ−ｔｏ−ＡＣＫタイミング、「Ｋ１」などと呼ばれてもよい）の少なくとも１つに基づいて決定されてもよい。
【００８２】
例えば、ＵＥは、上記所定の閾値（「Threshold-Sched-Offset」）未満となるＫ１が設定又は指示されることを期待しなくてもよい。
【００８３】
なお、あるサービングセル又はあるＢＷＰにおいてマルチスロットの途中で要求されたＴＣＩ状態のアクティベーション／ディアクティベーションに、どのように対処するかは、ＵＥの実装に依存してもよい。ＵＥは、上述の実施形態のいずれに従ってマルチスロットのＴＣＩ状態を決定するかを、何らかの条件に基づいて切り替えてもよい。
【００８４】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００８５】
図２は、一実施形態に係る無線通信システムの概略構成の一例を示す図である。無線通信システム１では、システム帯域幅（例えば、２０ＭＨｚ）を１単位とする複数の基本周波数ブロック（コンポーネントキャリア）を一体としたキャリアアグリゲーション（ＣＡ）及びデュアルコネクティビティ（ＤＣ）の少なくとも一方を適用することができる。
【００８６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８７】
無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。
【００８８】
無線通信システム１は、同一のＲＡＴ内の複数の基地局間のデュアルコネクティビティ（例えば、ＭＮ及びＳＮの双方がＮＲの基地局（ｇＮＢ）となるデュアルコネクティビティ（ＮＮ−ＤＣ：NR-NR  Dual  Connectivity））をサポートしてもよい。
【００８９】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９０】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００９１】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【００９２】
また、ユーザ端末２０は、各セルで、時分割複信（ＴＤＤ：Time  Division  Duplex）及び周波数分割複信（ＦＤＤ：Frequency  Division  Duplex）の少なくとも１つを用いて通信を行うことができる。また、各セル（キャリア）では、単一のニューメロロジーが適用されてもよいし、複数の異なるニューメロロジーが適用されてもよい。
【００９３】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【００９４】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【００９５】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【００９６】
各ユーザ端末２０は、ＬＴＥ、ＬＴＥ−Ａ、５Ｇなどの各種通信方式に対応した端末であり、移動通信端末（移動局）だけでなく固定通信端末（固定局）を含んでもよい。
【００９７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及びＯＦＤＭＡの少なくとも一方が適用される。
【００９８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１００】
下り制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及びＰＵＳＣＨの少なくとも一方のスケジューリング情報を含む下り制御情報（ＤＣＩ：Downlink  Control  Information）などが伝送される。
【０１０１】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０２】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１０３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０５】
（基地局）
図３は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０６】
下りリンクによって基地局１０からユーザ端末２０に送信されるユーザデータは、上位局装置３０から伝送路インターフェース１０６を介してベースバンド信号処理部１０４に入力される。
【０１０７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１１１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１１２】
送受信部１０３は、上記各実施形態で述べた各種情報を、ユーザ端末２０から受信及び／又はユーザ端末２０に対して送信してもよい。
【０１１３】
図４は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１１４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１１５】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１１６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１８】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１１９】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１２０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１２２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２５】
測定部３０５は、受信した信号に関する測定を実施する。測定部３０５は、本開示に係る技術分野での共通認識に基づいて説明される測定器、測定回路又は測定装置から構成することができる。
【０１２６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２７】
なお、送受信部１０３は、所定のチャネル（例えば、ＰＤＳＣＨ、ＰＵＳＣＨ、ＰＵＣＣＨ）及び所定の参照信号（例えば、ＣＳＩ−ＲＳ、ＳＳＢ、ＳＲＳ）のマルチスロット送信又は受信を行ってもよい。
【０１２８】
制御部３０１は、上記マルチスロット送信又は受信のＴＣＩ状態の変更に関してユーザ端末２０が所定の想定に基づいて処理できるように、上記マルチスロット送信又は受信に関する制御を行ってもよい。
【０１２９】
（ユーザ端末）
図５は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３１】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３３】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１３４】
図６は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１３５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３６】
制御部４０１は、ユーザ端末２０全体の制御を実施する。制御部４０１は、本開示に係る技術分野での共通認識に基づいて説明されるコントローラ、制御回路又は制御装置から構成することができる。
【０１３７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１３８】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３９】
また、制御部４０１は、基地局１０から通知された各種情報を受信信号処理部４０４から取得した場合、当該情報に基づいて制御に用いるパラメータを更新してもよい。
【０１４０】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１４１】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１４２】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４３】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１４４】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４５】
測定部４０５は、受信した信号に関する測定を実施する。測定部４０５は、本開示に係る技術分野での共通認識に基づいて説明される測定器、測定回路又は測定装置から構成することができる。
【０１４６】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１４７】
なお、送受信部２０３は、所定のチャネル（例えば、ＰＤＳＣＨ、ＰＵＳＣＨ、ＰＵＣＣＨ）及び所定の参照信号（例えば、ＣＳＩ−ＲＳ、ＳＳＢ、ＳＲＳ）のマルチスロット送信又は受信を行ってもよい。
【０１４８】
制御部４０１は、上記マルチスロット送信又は受信のＴＣＩ状態の変更に関して所定の想定を行ってもよい。例えば、制御部４０１は、上記マルチスロット送信又は送信をスケジュールする下り制御情報（ＤＣＩ）の受信と、上記マルチスロット送信又は送信の最初のスロットとの間の時間オフセットが、所定の閾値（例えば、「Threshold-Sched-Offset」）より小さいことを示すような当該ＤＣＩを受信することを期待しなくてもよい。
【０１４９】
制御部４０１は、上記マルチスロット送信又は送信の途中においてＴＣＩ状態のアクティベーション又はディアクティベーションが完了するような、上記所定のチャネルのＴＣＩ状態のアクティベーション制御シグナリング（例えば、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）、ＰＵＣＣＨ空間関係アクティベーション／ディアクティベーションＭＡＣ  ＣＥ（PUCCH  spatial  relation  Activation/Deactivation  MAC  CE）など）を受信することを期待しなくてもよい。
【０１５０】
制御部４０１は、上記マルチスロット送信又は送信の途中においてＴＣＩ状態のアクティベーション又はディアクティベーションが完了するような、上記所定のチャネルのＴＣＩ状態のアクティベーション制御シグナリングを受信する場合であっても、上記所定のチャネルのＴＣＩ状態を途中で変更しなくてもよい（同じＴＣＩ状態を継続して適用してもよい）。
【０１５１】
制御部４０１は、上記マルチスロット送信又は送信の途中において、前記所定のチャネルのＴＣＩ状態の変更を許容してもよい。
【０１５２】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１５３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１５４】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５５】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１５６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１５７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１５８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１５９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１６１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０１６３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６５】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６６】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１６８】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１６９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１７０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１７１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１７２】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１７７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１７９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８０】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８２】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８３】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１８４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１８５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９１】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１９７】
本開示において使用する「システム」及び「ネットワーク」という用語は、互換的に使用され得る。
【０１９８】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１９９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２００】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２０２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０３】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２０４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０５】
同様に、本開示におけるユーザ端末は、基地局で読み替えてもよい。この場合、上述のユーザ端末２０が有する機能を基地局１０が有する構成としてもよい。
【０２０６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２０８】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２０９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２１２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２１３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１４】
また、「判断（決定）」は、「想定する（assuming）」、「期待する（expecting）」、「みなす（considering）」などで読み替えられてもよい。
【０２１５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２１６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２１７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２１８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２１９】
本開示において、例えば、英語でのa,  an及びtheのように、翻訳によって冠詞が追加された場合、本開示は、これらの冠詞の後に続く名詞が複数形であることを含んでもよい。
【０２２０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020054036.tif 000003
【図２】
2020054036.tif 000004
【図３】
2020054036.tif 000005
【図４】
2020054036.tif 000006
【図５】
2020054036.tif 000007
【図６】
2020054036.tif 000008
【図７】
2020054036.tif 000009
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
物理下りリンク共有チャネル（ＰＤＳＣＨ）のマルチスロット受信を行う受信部と、
前記マルチスロット受信の途中において、前記ＰＤＳＣＨの送信設定指示（ＴＣＩ）状態が変更されないと想定する制御部と、を有する端末。
【請求項２】
前記制御部は、前記マルチスロット受信の途中においてＴＣＩ状態のアクティベーション又はディアクティベーションが完了するような、前記ＰＤＳＣＨのＴＣＩ状態のアクティベーションに利用されるMedium  Access  Control（ＭＡＣ）制御要素（ＣＥ）を受信する場合であっても、前記ＰＤＳＣＨのＴＣＩ状態を途中で変更しないよう制御する請求項１に記載の端末。
【請求項３】
マルチスロットにおける物理上りリンク制御チャネル（ＰＵＣＣＨ）送信を行う送信部と、
前記マルチスロットにおけるＰＵＣＣＨ送信の途中において、前記ＰＵＣＣＨの空間関係が変更されないと想定する制御部と、を有する端末。
【請求項４】
前記制御部は、前記マルチスロットにおけるＰＵＣＣＨ送信の途中において空間関係のアクティベーション又はディアクティベーションが完了するような、前記ＰＵＣＣＨの空間関係のアクティベーションに利用されるMedium  Access  Control（ＭＡＣ）制御要素（ＣＥ）を受信する場合であっても、前記ＰＵＣＣＨの空間関係を途中で変更しないよう制御する請求項３に記載の端末。
【請求項５】
物理下りリンク共有チャネル（ＰＤＳＣＨ）のマルチスロット受信を行うステップと、
前記マルチスロット受信の途中において、前記ＰＤＳＣＨの送信設定指示（ＴＣＩ）状態が変更されないと想定するステップと、を有する端末の無線通信方法。
【請求項６】
基地局と端末を有するシステムであって、
前記基地局は、
物理下りリンク共有チャネル（ＰＤＳＣＨ）のマルチスロット送信を行う送信部を有し、
前記端末は、
前記ＰＤＳＣＨのマルチスロット受信を行う受信部と、
前記マルチスロット受信の途中において、前記ＰＤＳＣＨの送信設定指示（ＴＣＩ：Transmission  Configuration  Indication）状態が変更されないと想定する制御部と、を有する、システム。
【手続補正３】
【補正対象書類名】明細書
【補正対象項目名】０００１
【補正方法】変更
【補正の内容】
【０００１】
本開示は、次世代移動通信システムにおける端末、無線通信方法及びシステムに関する。
【手続補正４】
【補正対象書類名】明細書
【補正対象項目名】０００７
【補正方法】変更
【補正の内容】
【０００７】
そこで、本開示は、マルチスロットのチャネル／信号のＴＣＩ状態を適切に制御できる端末、無線通信方法及びシステムを提供することを目的の１つとする。
【手続補正５】
【補正対象書類名】明細書
【補正対象項目名】０００８
【補正方法】変更
【補正の内容】
【０００８】
本開示の一態様に係る端末は、物理下りリンク共有チャネル（ＰＤＳＣＨ）のマルチスロット受信を行う受信部と、前記マルチスロット受信の途中において、前記ＰＤＳＣＨの送信設定指示（ＴＣＩ）状態が変更されないと想定する制御部と、を有することを特徴とする。
【国際調査報告】
2020054036.tif 000010
2020054036.tif 000011
2020054036.tif 000012
2020054036.tif 000013